(57)【要約】【課題】  深底形の防水パンを備えた浴室ユニットにおいて、防水パンの薄肉化や支持部材の小型化、換言すると防水パンや支持部材の軽量化や、使用材料の節減化、価格の低廉化を可能にし、設置や運搬を楽にできるようにする。【解決手段】  防水パン１と、この防水パン１に載置する浴槽２と、この浴槽２を支持するため防水パン１の下側に設ける支持部材３とを備える。防水パン１の周囲の洗い場側以外の囲い壁１ａを、浴槽２とほぼ同じ高さに形成し、この防水パン１の囲い壁１ａの上部に、浴槽２のフランジ部２ａを係合させる。浴槽２の洗い場側以外のフランジ部２ａに、側壁パネル４を設置するための壁載せ部２ｂを形成する。支持部材３を、浴槽２の脚２ｄの真下に設ける。【選択図】      図１
2007092346.tif 000002
【特許請求の範囲】
【請求項１】
浴槽載置用の防水パンと、この防水パンに載置される浴槽と、この浴槽を支持するため防水パンの下側に設けられる支持部材とを備え、上記の防水パンの周囲の洗い場側以外の囲い壁が浴槽とほぼ同じ高さに形成され、この防水パンの囲い壁の上部に、上記の浴槽のフランジ部が係合される浴室ユニットであって、上記の浴槽の洗い場側以外のフランジ部に、側壁パネルを設置するための壁載せ部が形成され、上記の支持部材が浴槽の脚の真下に設けられていることを特徴とする浴室ユニット。
【請求項２】
請求項１記載の浴室ユニットであって、防水パンの囲い壁の上部に、浴槽のフランジ部の垂下片と嵌合する凹溝状の嵌合部が形成されていることを特徴とする浴室ユニット。
【請求項３】
請求項１又は２記載の浴室ユニットであって、防水パンが、その上部に、浴槽のフランジ部の外周位置に垂直状に形成されている水返し片を被覆すると共に、この水返し片の内側に配置される側壁パネルと水返し片との間に挟み込まれる延長部を備えて形成されていることを特徴とする浴室ユニット。
【請求項４】
請求項１乃至３の何れかに記載の浴室ユニットであって、防水パンの囲い壁に、浴槽に外部配管を接続するための配管接続部が設けられていることを特徴とする浴室ユニット。
【請求項５】
請求項１乃至４の何れかに記載の浴室ユニットであって、防水パンが軟質材で形成されていることを特徴とする浴室ユニット。
【請求項６】
請求項１乃至４の何れかに記載の浴室ユニットであって、防水パンが断熱材で形成されていることを特徴とする浴室ユニット。
【請求項７】
請求項１乃至６の何れかに記載の浴室ユニットであって、防水パンが防鼠成分を有して形成されていることを特徴とする浴室ユニット。
【発明の詳細な説明】
【技術分野】
【０００１】
本発明は、浴室ユニットに関し、更に詳しくは防水パンを深底形に形成し、この防水パンの上部に、浴槽のフランジ部が係合するよう形成している浴室ユニットに関するものである。
【背景技術】
【０００２】
従来この種の浴室ユニットとしては、例えば本出願人の提案に係る特許文献１に記載されている発明がある。
この従来品は、浴槽載置用の防水パンと、この防水パンに載置される浴槽とで形成され、上記防水パンの周囲の囲い壁を浴槽とほぼ同じ高さに形成すると共に、洗い場側以外の囲い壁の上面部に、側壁パネルを設置するための壁載せ部を形成し、防水パンの囲い壁の上面部に浴槽のフランジ部を係合させているものである。
【０００３】
ところでこの種の浴室ユニットは、深底形の防水パンによって浴槽周りに発生する臭気の散逸を防止でき、浴槽の湯を保温でき、側壁パネルの丈を短くできるから、側壁パネルを楽に設置できる、という利点がある。
しかしながら従来のこの種の浴室ユニットは、上記の通り、防水パンに壁載せ部を形成し、防水パンで側壁パネルを支持する構造であった。従って従来品の場合は、防水パンの強度が高くなるよう、囲い壁を厚くし、堅固に形成する必要があり、また防水パンの下側に設ける支持部材も、このような重量のある防水パンを支持する必要から、大きく、重く形成しているのが通例であった。
従って従来品によると、防水パンや支持部材の重量が増え、材料費が増加し、また運搬や設置作業に労力がかかる、という問題点があった。
【特許文献１】特開２００３−２９３４１５号公報
【発明の開示】
【発明が解決しようとする課題】
【０００４】
本発明は、このような従来の問題点に鑑み、提案されたものである。
従って本発明の解決しようとする技術的課題は、深底形の防水パンを備えた浴室ユニットにおいて、防水パンの薄肉化や支持部材の小型化、換言すると防水パンや支持部材の軽量化や、使用材料の節減化、価格の低廉化を可能にし、設置や運搬を楽にできるよう形成した浴室ユニットを提供することにある。
【課題を解決するための手段】
【０００５】
本発明は、上記の課題を解決するため、次のような技術的手段を採る。
即ち本発明は、図１等に示されるように、浴槽載置用の防水パン１と、この防水パン１に載置される浴槽２と、この浴槽２を支持するため防水パン１の下側に設けられる支持部材３とを備え、上記の防水パン１の周囲の洗い場側以外の囲い壁１ａが浴槽２とほぼ同じ高さに形成され、この防水パン１の囲い壁１ａの上部に、上記の浴槽２のフランジ部２ａが係合される浴室ユニットであって、上記の浴槽２の洗い場側以外のフランジ部２ａに、側壁パネル４を設置するための壁載せ部２ｂが形成され、上記の支持部材３が浴槽２の脚２ｄの真下に設けられていることを特徴とする（請求項１）。
【０００６】
本発明の場合、壁載せ部２ｂは、通常、凸段差状に形成される。また壁載せ部２ｂを超えて流れる水を浴槽２側に返すことができるよう、浴槽２は、壁載せ部２ｂに続いてフランジ部２ａの外周が立ち上げられ、水返し片２ｅが形成されるのが良い。支持部材３としては、例えば台や、高さ調節可能なアジャスターボルト３ａを備えた脚がある。この支持部材３は、浴槽２の脚２ｄに対応して防水パン１の下側に個別に複数設けられるのでも、或いは浴槽２の例えば４本（個）の脚２ｄを１台（個）で支持できるよう形成されるのでも良い。また本発明の場合、支持部材３は防水パン１に一体的に形成されているのでも良い。
【０００７】
而して本発明は、防水パン１の囲い壁１ａの上部に、浴槽２のフランジ部２ａの垂下片２ｃと嵌合する凹溝状の嵌合部１ｂが形成されているのが好ましい（請求項２）。
なぜならこれによると、浴槽２と防水パン１との位置ずれを防止でき、両者の接合状態を堅固にできるからである。ここで、垂下片２ｃとは、浴槽２のフランジ部２ａの裏側に垂れ下げられている部分を意味し、具体的には図１等に示されるように、壁載せ部２ｂの外側を下方に屈曲状に形成したり、或いはフランジ部２ａの裏面に、フランジ部２ａと一体状に板状のリブを形成することにより実現される。
【０００８】
また本発明は、防水パン１が、その上部に、浴槽２のフランジ部２ａの外周位置に垂直状に形成されている水返し片２ｅを被覆すると共に、この水返し片２ｅの内側に配置される側壁パネル４と水返し片２ｅとの間に挟み込まれる延長部１ｅを備えて形成されているのが好ましい（請求項３）。
なぜならこれによると、延長部１ｅによって防水パン１と浴槽２との係合箇所を被覆でき、この箇所の水漏れを確実に防止できるからである。またこれによると、防水パン１、浴槽２、側壁パネル４の接合状態を延長部１ｅによって緊密化でき、振動や衝撃に対する位置ずれを防止でき、耐振動性、耐衝撃性を高めることができるからである。
【０００９】
また請求項１乃至３の何れかに記載の本発明は、防水パン１の囲い壁１ａに、浴槽２に外部配管５を接続するための配管接続部６が設けられているのが好ましい（請求項４）。
本発明は、防水パン１の囲い壁１ａを薄肉化できるから、薄肉状の囲い壁１ａに配管接続部６としての貫通孔を楽に形成できる。従って本発明によれば、防水パン１の底面の配管接続部６を介して配管する場合に比べ、水漏れを防止でき、また窮屈な姿勢をとる必要がないから、配管作業を楽にできる。
【００１０】
また請求項１乃至４の何れかに記載の本発明は、防水パン１が軟質材で形成されているのが好ましい（請求項５）。
なぜならこれによると、施工時等に衝撃を受けても壊れ難く、また樹脂シート等の軟質材によれば、防水パン１の軽量化、低コスト化、施工の容易化を、一層、図ることができるからである。
【００１１】
また請求項１乃至４の何れかに記載の本発明は、防水パン１が断熱材で形成されているのが好ましい（請求項６）。
なぜならこれによると、防水パン１の保温性能を更に向上できるからである。また発泡樹脂材等の断熱材で形成すれば、防水パン１の軽量化、低コスト化、施工の容易化を、一層、図ることができるからである。
【００１２】
また請求項１乃至６の何れかに記載の本発明は、防水パン１が防鼠成分を有して形成されているのが好ましい（請求項７）。
なぜならこれによると、鼠による被害を防止でき、防水パン１の薄肉化を、一層、実現し易いからである。ここで、防鼠成分とは、防鼠用薬剤や、唐辛子等の辛味食品、辛味物質を意味する。具体的にはこれらの成分を、防水パン１を形成する樹脂液等に混ぜ合わせ、この原料で防水パン１を形成したり、或いはこれらの成分を塗料化し、防水パン１の外表面に塗布することで実現される。
【発明の効果】
【００１３】
本発明は、このように浴槽のフランジ部に、側壁パネルを設置するための壁載せ部を形成し、また防水パンの下側に設ける支持部材を、浴槽の脚の真下に設けているものである。
従って本発明の場合は、防水パン自体の耐荷重性、耐剛性、換言すると防水パン自体の機械的強度が低くても、側壁パネルを浴槽の周りに設置でき、また支持部材は必要最低限の大きさに小型化できる。
それ故これによれば、防水パンや支持部材の材料を節減でき、これらの部材の軽量化や価格の低廉化を図ることができ、また設置や運搬作業を容易化できるものである。
【発明を実施するための最良の形態】
【００１４】
以下、本発明を実施するための最良の形態を説明する。
本発明は、図１等に示されるように、浴槽載置用の防水パン１と、この防水パン１に載置される浴槽２と、この浴槽２を支持するため防水パン１の下側に設けられる支持部材３とを備えてなる。そして上記の防水パン１の周囲の洗い場側以外の、例えば三方の囲い壁１ａは、浴槽２とほぼ同じ高さに形成され、この防水パン１の囲い壁１ａの上部に、上記の浴槽２のフランジ部２ａが係合されるよう形成されている。
【００１５】
上記の浴槽２は、この実施形態では平面視で長方形に形成され、洗い場側以外の三方のフランジ部２ａに、側壁パネル４を設置するための壁載せ部２ｂが、凸段差状に形成されている。この壁載せ部２ｂの外周位置は、屈曲状に立ち下げられ、垂下片２ｃに形成されている。
【００１６】
防水パン１は、底壁及び囲い壁１ａを含めて全体が薄肉状に形成され、囲い壁１ａの上部に、上記の垂下片２ｃが嵌合する凹溝状の嵌合部１ｂが形成されている。嵌合部１ｂは、防水パン１の逃げを防止するリブ構造部１ｂ１を備え、隙間が遊びとなることを防止できるよう形成されている。また嵌合部１ｂの外側の立ち上がり片１ｃは、フランジ部２ａを越えて外側に流れる水を止水できるよう、壁載せ部２ｂより高く形成され、側壁パネル４はこの立ち上がり片１ｃに背面を当接させて壁載せ部２ｂに設置される。立ち上がり片１ｃは、この実施形態では防水パン１の囲い壁１ａと一体に形成されているが、これには限られず囲い壁１ａと別体に形成されるのでも良い。また防水パン１の囲い壁１ａには、浴槽２に外部配管５を接続するための配管接続部６が設けられている。浴槽２と外部配管５とは、この配管接続部６を介して接続される。
【００１７】
また上記の支持部材３は、浴槽２の脚２ｄの真下に設けられている。支持部材３は、この実施形態では高さ調節可能なアジャスターボルト３ａと、このアジャスターボルト３ａと防水パン１との間に配置される柱状の本体部３ｂとで脚状に形成されている。
【００１８】
而して本発明の浴室ユニットを施工するときは、先ず作業者は、浴槽２の脚２ｄに対応する位置に支持部材３を配置し、防水パン１を設置する。次に作業者は、防水パン１の嵌合部１ｂに浴槽２の垂下片２ｃを嵌合させて浴槽２を防水パン１に載せる。そしてフランジ部２ａの壁載せ部２ｂに側壁パネル４を設置し、固定する。本発明の場合、側壁パネル４の重量はフランジ部２ａを介して浴槽２で支持される。そして側壁パネル４と浴槽２との重み、また入浴者の体重や湯の重量は、浴槽２の脚２ｄを介して脚２ｄの真下に設けられている支持部材３に加わり、この支持部材３で支持される。
【００１９】
以上の処において、防水パン１の上部と浴槽２とは、例えば図３、図４に示されるように、ネジ７で連結されるのでも良い。この実施形態では、防水パン１の上部がクランク形に形成され、この上部の段差１ｄに浴槽２の垂下片２ｃが下端と背面を当接させて係合され、垂下片２ｃと防水パン１の上部とがネジ７で固定されているものである。
【００２０】
また本発明は、防水パン１等が、図５に示されるように形成されているのでも良い。この本発明は、浴槽２のフランジ部２ａの外周位置に壁載せ部２ｂに続いて水返し片２ｅが垂直状に形成されている。防水パン１は、その上部に、水返し片２ｅを被覆すると共に、この水返し片２ｅの内側に配置される側壁パネル４と水返し片２ｅとの間に挟み込まれる延長部１ｅを備えて形成されている。延長部１ｅは、防水パン１の囲い壁１ａの肉厚より更に薄く、且つ軟質状に形成されている。また延長部１ｅの上部は、この実施形態では、図６、図７に示されるように、水返し片２ｅと側壁パネル４との間に屈曲部１ｆを侵入させて側壁パネル４の背面に密着するよう、縦断面レの字状に形成されている。また支持部材３は、この実施形態では板材が縦横に枠状に組まれて形成されている本体３ｃと、この本体３ｃの下側の四隅で、且つ浴槽２の脚２ｄの真下にあたる位置に設けられているアジャスターボルト３ａとで台状に形成されている。
【００２１】
而してこの本発明の場合、作業者は、先ず支持部材３の上に防水パン１を載せる。次に防水パン１に浴槽２を載せ、水返し片２ｅに防水パン１の延長部１ｅを被せる。そして壁載せ部２ｂに側壁パネル４を設置すると、延長部１ｅの屈曲部１ｆが側壁パネル４と水返し片２ｅとの間に入り込み、上部が側壁パネル４の背面に密着し、これにより浴槽２と防水パン１と側壁パネル４とが緊密に水密性良く接合されるものである。
【００２２】
また本発明は、上記のように、側壁パネル４を浴槽２で支持しているものであるから、防水パン１は、軟質材で形成されているのでも良い。図８に示される実施形態の場合は、防水パン１が、軟質性の樹脂シートで上面開口状の袋形に形成されている例である。囲い壁１ａの上端部１ｇは、側壁パネル４と浴槽２の水返し片２ｅとの間に挟み込まれると共に接着され、水返し片２ｅの外面に沿った位置も接着されている。また浴槽２の前側にあたる囲い壁１ａの上端部１ｇは、エプロン８の上部とフランジ部２ａの垂下片２ｃとの間に挟み込まれて接着されている。またこの実施形態の場合、浴槽２の脚２ｄに対応する内側位置には、平板１ｈが設けられ、浴槽２はこの平板１ｈを介して支持部材３で支持されている。
【００２３】
また本発明は、防水パン１が、発泡樹脂材等の断熱材で形成されるのでも良い。具体的には、防水パン１の全体を断熱材のみで形成したり、或いは図９、図１０に示されるように、軟質性の樹脂シート１ｉと発泡樹脂材１ｊとを組み合わせて形成することにより実現される。
図９に示される実施形態は、袋状に形成した軟質性の樹脂シート１ｉで浴槽２を、図８の実施形態の場合と同様に緊張状に被覆し、この樹脂シート１ｉと浴槽２の外面との間に、ウレタン樹脂等の発泡樹脂液を注入して発泡させることにより、防水パン１を断熱状に形成しているものである。この場合は、発泡樹脂材１ｊが樹脂シート１ｉと浴槽２との隙間に入り込み、浴槽２の側面、底面の全体を満遍なく覆うため、断熱性、保温性を、一層、向上できる。
【００２４】
また図１０に示される実施形態は、現場での施工を容易化できるよう、軟質性の樹脂シート１ｉで板状の発泡樹脂材１ｊを予め被覆しているものである。板状の発泡樹脂材１ｊは、浴槽２の側面、底面に対応して配置されている。囲い壁１ａの上端部１ｇである樹脂シート１ｉの上部は、図８、図９の実施形態の場合と同様、浴槽２のフランジ部２ａ等に固定されている。
【００２５】
また本発明の場合、防水パン１を薄肉化すると、鼠による被害を受け易くなる。従って防水パン１は、成形用の樹脂液等に、例えば唐辛子等の防鼠効果のある材料を、粒状、粉状の状態にして、直接、或いはカプセルに収納した状態で混ぜ合わせ、この原料により形成されるのでも良い。
【図面の簡単な説明】
【００２６】
【図１】本発明の浴室ユニットの好適な一実施形態を示し、Ａは要部縦断面図、Ｂは要部拡大縦断面図である。
【図２】同上浴室ユニットの要部拡大斜視図である。
【図３】防水パンと浴槽との他の連結状態を示す要部拡大斜視図である。
【図４】図３の連結状態の正面図である。
【図５】同上浴室ユニットの他の実施形態を示す要部分解斜視図である。
【図６】図５の実施形態の要部拡大斜視図である。
【図７】図５の実施形態の要部正面図である。
【図８】防水パンを軟質材で形成した実施形態の要部縦断面図である。
【図９】防水パンを断熱材で形成した実施形態の要部縦断面図である。
【図１０】防水パンを断熱材で形成した他の実施形態を示す要部縦断面図である。
【符号の説明】
【００２７】
１      防水パン
１ａ    囲い壁
２      浴槽
２ａ    フランジ部
２ｂ    壁載せ部
２ｄ    脚
３      支持部材
４      側壁パネル
【図１】
2007092346.tif 000003
【図２】
2007092346.tif 000004
【図３】
2007092346.tif 000005
【図４】
2007092346.tif 000006
【図５】
2007092346.tif 000007
【図６】
2007092346.tif 000008
【図７】
2007092346.tif 000009
【図８】
2007092346.tif 000010
【図９】
2007092346.tif 000011
【図１０】
2007092346.tif 000012